(57)【要約】【課題】複数の導体を絶縁体を介して同軸的に配置した同軸ケーブルに対応しながら、構造や製造に要する手間を極力簡易化して製造コストを下げる。【解決手段】同軸ケーブル１２の複数の導体１２ａ，１２ｂそれぞれに対応した保持部１１ｂ，１１ｃ及び端子部１１ｄ，１１ｅを切断部１１ａを介して一体に形成した端子金具１１と、この端子金具１１を上記端子部１１ｄ，１１ｅと上記切断部１１ａとを除いて被覆し、該切断部１１ａを露出する切欠き部１３を形成した、モールド成型による絶縁体樹脂でなるモールド部材１３とを備え、切欠き部１３ａに露出した切断部１１ａを切除して使用する。【選択図】　　図３
2004139942.tif 000002
【特許請求の範囲】
【請求項１】
複数の導体が絶縁体を介して同軸的に配置された同軸ケーブルの端部に取付け、アンテナに形成された端子パターンに接続するアンテナ用接続端子構造であって、
上記同軸ケーブルの複数の導体それぞれに対応した保持部及び端子部を切断部を介して一体に形成した端子金具と、
この端子金具を上記端子部と上記切断部とを除いて被覆し、該切断部を露出する切欠き部を形成した、モールド成型による絶縁体樹脂でなるモールド部材と
を具備し、上記切欠き部に露出した切断部を切除して使用することを特徴とするアンテナ用接続端子構造。
【発明の詳細な説明】
【０００１】
【発明の属する技術分野】
本発明は、特に自動車のウィンドウに貼付けるフィルムアンテナ等に好適なアンテナ用接続端子構造に関する。
【０００２】
【従来の技術】
近時、特に高級乗用車等の自動車では、ロッドアンテナに代わって、アンテナの素子パターンを透明フィルム上にプリント形成したフィルムアンテナを採用する例が増えている。
【０００３】
このフィルムアンテナは、例えばリヤウィンドウやサイドウィンドウの内面に貼付して、ＦＭ放送、ＦＭ−ＶＩＣＳ（ナビゲーションシステム用のサービス情報を提供するＦＭ多重）放送、ＧＰＳ（Ｇｌｏｂａｌ　ＰｏｓｉｔｉｏｎｉｎｇＳｙｓｔｅｍ：全地球測位システム）信号やＴＶ用のＶＨＦ／ＵＨＦ放送等を受信するべく各種企画、製品化されており、配線の取り回しが室内のみでよい点、自動車の室外側に突出するものがないために外観がスッキリとする点、いたずら等の被害に遭遇し難い点、等で車外に突出するロッドアンテナよりも優れている。
【０００４】
このようなフィルムアンテナの接続端子パターンに接続し、受信した信号を取出す接続端子部は、一般に単線に対応したものとなっている。
【０００５】
【発明が解決しようとする課題】
しかしながら、単線は、アンテナの信号線のみに対応し得るものであって、アース線を同時接続することができない。
【０００６】
信号線のみでアース線がない場合、信号線を介して受信されるアンテナ信号はノイズの影響を受け易くなる。そこで、アース線を別途配線することも考えられるが、構造が複雑となり、製造に要するコストも上昇してしまうことになる。
【０００７】
本発明は上記のような実情に鑑みてなされたもので、その目的とするところは、複数の導体を絶縁体を介して同軸的に配置した同軸ケーブルに対応しながら、構造や製造に要する手間を極力簡易化して製造コストを下げることが可能なアンテナ用接続端子構造を提供することにある。
【０００８】
【課題を解決するための手段】
請求項１記載の発明は、複数の導体が絶縁体を介して同軸的に配置された同軸ケーブルの端部に取付け、アンテナに形成された端子パターンに接続するアンテナ用接続端子構造であって、上記同軸ケーブルの複数の導体それぞれに対応した保持部及び端子部を切断部を介して一体に形成した端子金具と、この端子金具を上記端子部と上記切断部とを除いて被覆し、該切断部を露出する切欠き部を形成した、モールド成型による絶縁体樹脂でなるモールド部材とを具備し、上記切欠き部に露出した切断部を切除して使用することを特徴とする。
【０００９】
このような構成とすれば、モールド部材の成型後に上記切欠き部に露出している端子金具の切断部を例えばニッパ等の一般的な工具により切除することで、容易に同軸ケーブルの複数の導体に対応した端子金具の個々の電気的絶縁状態を得ることができるため、きわめて簡易な構造で各種コストを削減して製造することが可能となる。
【００１０】
【発明の実施形態】
以下図面を参照して本発明の一実施形態に係るアンテナ用接続端子の構造について説明する。
【００１１】
図１（Ａ），（Ｂ）は、端子金具１１とこの端子金具１１に端部が取付けられる同軸ケーブル１２の構成を示すものである。
【００１２】
図１（Ａ）に示す如く端子金具１１は、間隔を空けて平行に配置された一対の切断部１１ａ，１１ａを挟んで、同軸ケーブル１２の中心導体の保持部１１ｂと外部導体の保持部１１ｃとが接続され、さらに該中心導体に対応した端子部１１ｄと該外部導体に対応した端子部１１ｅとが各保持部１１ｂ，１１ｃより延在して一体に構成される。
【００１３】
この端子金具１１は、例えば銅薄板あるいはアルミニウム薄板をプレス工程により型抜きした後、保持部１１ｂ及び１１ｃと端子部１１ｄ及び１１ｅとが反対方向となるように折曲して構成される。
【００１４】
この端子金具１１に対して、図１（Ｂ）に示すように中心導体１２ａと外部導体１２ｂをそれぞれ露出させた同軸ケーブル１２を取付け、端子金具１１の保持部１１ｂ，１１ｃをそれぞれかしめ、あるいは半田付けするなどして外部導体１２を端子金具１１に固定する。
【００１５】
しかるに、こうして端子金具１１を端部に取付固定した同軸ケーブル１２の当該端部に例えばＡＢＳ樹脂やＡＥＳ樹脂等の絶縁樹脂でなる矩形平板状のモールド部材１３をモールド工程で成型することで、図２（Ａ），（Ｂ）に示すような接続端子部が形成される。
【００１６】
図２（Ａ）はそのモールド部材１３を上面側から見た斜視図、図２（Ｂ）は底面側から見た斜視図であり、端子部１１ｄ，１１ｅが底面側から露出するだけでなく、端子金具１１の切断部１１ａ，１１ａに対応する位置に矩形状の切欠き部１３ａ，１３ａを形成しているために、該切断部１１ａ，１１ａもそれら切欠き部１３ａ，１３ａで露出した構成となっている。
【００１７】
図３は、この状態でのモールド部材１３内部の端子金具１１と同軸ケーブル１２の断面構成を示すものであり、モールド部材１３によって端子金具１１の上述した露出部分以外がすべて封入され、水密、気密状態とされているが、同軸ケーブル１２に取付けた端子金具１１の保持部１１ｂと保持部１１ｃとが切断部１１ａによりまだ接続されているため、この時点では同軸ケーブル１２の中心導体１２ａと外部導体１２ｂが電気的に絶縁されていないことがわかる。
【００１８】
しかるに上記図２（Ａ），（Ｂ）で示したモールド部材１３を形成した状態から、切欠き部１３ａ，１３ａに露出している切断部１１ａ，１１ａを切除することで、図４（Ａ），（Ｂ）に示すようになる。
【００１９】
この切断部１１ａ，１１ａの切除に際しては、例えば一般的な工具であるニッパーを使用してもよいし、あるいは製造工程中で一対の切断部１１ａ，１１ａをその両端から一度に切除するような専用の工具を使用するものとしてもよい。
【００２０】
図４（Ａ），（Ｂ）に示すように上記切断部１１ａ，１１ａを切除した時点で、同軸ケーブル１２の中心導体１２ａと外部導体１２ｂとが電気的に絶縁されたものとなる。
【００２１】
したがって、このアンテナ用接続端子の接続対象であるアンテナが、例えば剛構造の基板上にアンテナ素子パターンをプリント形成したような構造である場合には、その基板上の端部に設けられるであろう端子接続部に、この接続端子の端子部１１ｄ，１１ｅを例えば半田付けにより固定することで、該接続端子の取付けが完了する。
【００２２】
また、接続対象が可撓性を有する透明の樹脂フィルム上にアンテナ素子パターンをプリント形成したフィルムアンテナである場合には、図５（Ａ），（Ｂ）に示すようにモールド部材１３の底面側に上記端子部１１ｄ，１１ｅが挿通するような孔を設けた両面テープ１４を貼付した上で、上記各端子部１１ｄ，１１ｅを例えば内側に屈曲して両面テープ１４面に沿うようにすることで、該フィルムアンテナの端部に設けられるであろう端子接続部に、この接続端子のモールド部材１３底面全体を両面テープ１４により貼着して固定することで、該接続端子の取付けが完了する。
【００２３】
この場合、両面テープ１４はある程度の厚さと弾性とを有するものとし、上記端子部１１ｄ，１１ｅの厚さを両面テープ１４が吸収してその弾性により端子部１１ｄ，１１ｅをフィルムアンテナ側の端子接続部に押圧することにより、電気的な接続が維持されるものとする。
【００２４】
このように、製造時に関しては一つの端子金具１１を用いて同軸ケーブル１２に取付けた上でモールド部材１３を成型し、モールド部材１３の切欠き部１３ａに露出している切断部１１ａを切除することにより、容易に接続端子を製造することができるので、きわめて簡易で各種コストを削減させることが可能となる。
【００２５】
なお、上記実施形態では、モールド部材１３に形成する切欠き部１３ａ，１３ａの形状を矩形状であるものとして説明したが、本発明はこれに限ることなく、例えば図６に示すように三角形の切欠き部１３ａ′，１３ａ′を設けるものとしてもよい。
【００２６】
その他、本発明は上記実施形態に限らず、その要旨を逸脱しない範囲内で種々変形して実施することが可能であるものとする。
【００２７】
さらに、上記実施形態には種々の段階の発明が含まれており、開示される複数の構成要件における適宜な組合わせにより種々の発明が抽出され得る。例えば、実施形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００２８】
【発明の効果】
請求項１記載の発明によれば、モールド部材の成型後に上記切欠き部に露出している端子金具の切断部を例えばニッパ等の一般的な工具により切除することで、容易に同軸ケーブルの複数の導体に対応した端子金具の個々の電気的絶縁状態を得ることができるため、きわめて簡易な構造で各種コストを削減して製造することが可能となる。
【図面の簡単な説明】
【図１】本発明の一実施形態に係るアンテナ用接続端子の端子金具と同軸ケーブルの取付け構造とを示す示す図。
【図２】同実施形態に係るモールド部材成型後の外観構成を示す斜視図。
【図３】同実施形態に係るモールド部材内部の端子金具と同軸ケーブルの構成を示す断面図。
【図４】同実施形態に係る切断部を切除した状態での外観構成を示す斜視図。
【図５】同実施形態に係る両面テープ装着状態での外観構成を示す斜視図。
【図６】同実施形態に係るモールド部材の切欠き部の他の形状を例示する斜視図。
【符号の説明】
１１…端子金具
１１ａ…切断部
１１ｂ…（中心導体用）保持部
１１ｃ…（外部導体用）保持部
１１ｄ…（中心導体用）端子部
１１ｅ…（外部導体用）端子部
１２…同軸ケーブル
１２ａ…中心導体
１２ｂ…外部導体
１３…モールド部材
１３ａ…切欠き部
１４…両面テープ
【図１】
2004139942.tif 000003
【図２】
2004139942.tif 000004
【図３】
2004139942.tif 000005
【図４】
2004139942.tif 000006
【図５】
2004139942.tif 000007
【図６】
2004139942.tif 000008